(57)【要約】【課題】  子供、婦人、老人および疾病患者等が保持し、犯罪に遭遇したり、気分が悪くなったときなどに、釦操作などを行うことで自動的に発報（発呼）し、携帯電話回線を介して、近親者や病院などの予め登録されている通報先へ通報を行うようにした緊急通報装置において、待機時の性能低下を招くことなく、省電力化を図る。【解決手段】  時刻ｔ１で電源が投入され、待受け状態となると、現在待受け中の基地局を周期Ｔｓｊ（ｊ＝１〜ｎ）毎に受信し、電界強度レベルを自ゾーンレベルＦ０ｊとして記憶する。また、他の周辺基地局の内の１つの電界強度レベルを周辺ゾーンレベルＦｊとして周期Ｔｓｊ毎に順次測定し、記憶する。さらに、受信周期Ｔ毎に、現在待受け中の基地局の電界強度レベルやエラーレートなどから、該緊急通報装置が移動状態であるか否かを判定し、停止状態であれば、時刻ｔ３以降のように、他の周辺基地局の受信を休止する。【選択図】      図２
2005167321.tif 000002
【特許請求の範囲】
【請求項１】
携帯しているユーザの操作入力に応答して発報し、公衆無線通信回線を介して、予め登録されている通報先へ通報を行う緊急通報装置において、
基地局との間で無線通信を行う通信手段と、
現在待受け中の基地局のゾーンから他の基地局のゾーンへのゾーン移行判定を行うために、前記通信手段において前記現在待受け中の基地局以外に前記他の基地局からの信号も受信させ、その受信結果から、切換えの候補となる基地局を決定する切換え制御手段と、
該緊急通報装置が移動状態であるか否かを判定する判定手段と、
前記他の基地局からの信号を、前記判定手段で、移動状態であると判定されたときには前記通信手段に予め定める第１の頻度で受信させ、停止状態であると判定されたときには前記第１の頻度よりも低い予め定める第２の頻度で受信させる受信制御手段とを含むことを特徴とする緊急通報装置。
【請求項２】
前記判定手段は、前記現在待受け中の基地局からの受信信号における電界強度の変化量が、予め定める閾値以上であるときには移動状態であると判定し、前記閾値未満であるときには停止状態であると判定することを特徴とする請求項１記載の緊急通報装置。
【請求項３】
前記判定手段は、前記現在待受け中の基地局からの受信信号に、誤りが発生したときには移動状態であると判定し、前記誤りが発生していないときには停止状態であると判定することを特徴とする請求項２記載の緊急通報装置。
【請求項４】
前記判定手段は、前記他の基地局からの受信信号の電界強度レベルおよび／またはエラーレートも加味して、前記移動状態と停止状態との判定を行うことを特徴とする請求項２または３記載の緊急通報装置。
【請求項５】
前記判定手段は、待受け状態に移行した後、および停止状態から移動状態に切換わった後は、一旦総ての基地局からの信号を受信し、移動状態であるか、または停止状態であるかを判定することを特徴とする請求項２〜４のいずれか１項に記載の緊急通報装置。
【請求項６】
前記受信制御手段は、予め定める期間に亘って、前記他の基地局からの信号が、予め定める信号品質以上であったものだけを、予め定める周期で受信させることを特徴とする請求項４記載の緊急通報装置。
【請求項７】
前記受信制御手段は、予め定める期間に亘って、前記他の基地局からの信号が、信号品質が上位のものだけを、予め定める周期で前記受信手段に受信させることを特徴とする請求項４記載の緊急通報装置。
【請求項８】
携帯しているユーザの操作入力に応答して発報し、公衆無線通信回線を介して、予め登録されている通報先へ通報を行う緊急通報装置において、
基地局との間で無線通信を行う通信手段と、
現在待受け中の基地局のゾーンから他の基地局のゾーンへのゾーン移行判定を行うために、前記通信手段において前記現在待受け中の基地局以外に前記他の基地局からの信号も受信させ、その受信結果から、切換えの候補となる基地局を決定する切換え制御手段と、
前記通信手段での受信結果から、受信信号が予め定める信号品質以上であるか否かを判定する判定手段と、
前記判定手段での判定結果に応答し、予め定める期間に亘って、前記他の基地局からの信号が、前記予め定める信号品質以上であったものだけを、予め定める周期で前記通信手段に受信させる受信制御手段とを含むことを特徴とする緊急通報装置。
【請求項９】
前記受信制御手段は、前記判定手段での判定結果において、前記予め定める信号品質以上の受信信号が検出されない場合、受信可能な総ての他の基地局からの信号を前記受信手段に受信させることを特徴とする請求項８記載の緊急通報装置。
【請求項１０】
携帯しているユーザの操作入力に応答して発報し、公衆無線通信回線を介して、予め登録されている通報先へ通報を行う緊急通報装置において、
基地局との間で無線通信を行う通信手段と、
現在待受け中の基地局のゾーンから他の基地局のゾーンへのゾーン移行判定を行うために、前記通信手段において前記現在待受け中の基地局以外に前記他の基地局からの信号も受信させ、その受信結果から、切換えの候補となる基地局を決定する切換え制御手段と、
前記通信手段での受信結果から、前記他の基地局からの受信信号の信号品質をそれぞれ判定する判定手段と、
前記判定手段での判定結果に応答し、予め定める期間に亘って、前記他の基地局からの信号は、前記信号品質が上位のものだけを、予め定める周期で前記受信手段に受信させる受信制御手段とを含むことを特徴とする緊急通報装置。
【発明の詳細な説明】
【技術分野】
【０００１】
本発明は、子供、婦人、老人および疾病患者等が保持し、犯罪に遭遇したり、気分が悪くなったりしたときなどに、釦操作などを行うことで自動的に発報（発呼）し、携帯電話などの公衆無線通信回線を介して、近親者や病院などの予め登録されている通報先へ通報を行うようにした緊急通報装置に関する。
【背景技術】
【０００２】
携帯電話回線などの公衆無線通信回線を介して、移動する人物や車両などの緊急事態を、予め登録されている通報先へ通報する緊急通報装置が広く用いられている。たとえば、船舶や航空機に搭載される緊急通報装置は、特許文献１に示されている。
【０００３】
このような緊急通報装置には、確実に発報（発呼）することが必須であり、必要なときにバッテリ切れを起こしていると、人命にかかわることになる。したがって、上述のように船舶や航空機などの輸送機に搭載される場合には、大形の発電機や蓄電池を電源としており、電源を気にする必要はないが、人物が保持する場合には、電源を気にする必要が出てくる。ところが、毎回外出の前にバッテリの残容量を確認したり、外出先から戻ってくると充電器にセットしたりするのは非常に煩わしく、またこのように充電サイクルが短いと、充電忘れによって、役に立たなくなってしまう。そこで、人物が保持する緊急通報装置には、省電力化の要望が非常に強い。
【０００４】
一方、人物が保持する緊急通報装置としては、いわゆるＰＨＳ（Ｐｅｒｓｏｎａｌ  Ｈａｎｄｙｐｈｏｎｅ  Ｓｙｓｔｅｍ）を用いて、その微小なサービスエリアから、人物の現在地の目処を付けることで、徘徊老人や子供の捜索などに役立てるようにしたサービスが従来から提供されている。前記ＰＨＳを用いた緊急通報装置としては、たとえば特許文献２が挙げられる。なお、「サービスエリア」という語については、たとえば○○市や××県などの電話会社のサービス提供地域と、或る基地局のゾーン（電波到達範囲）との両方に解釈することができるが、本件明細書では、後者を示すものとする。
【０００５】
しかしながら、そのＰＨＳを用いたシステムでは、前記のようにサービスエリアが微小で、かつ限られているために、また車両などによる高速度な移動に追従できないために、近年、携帯電話の通信回線を利用した緊急通報装置も、特許文献３のように登場している。この特許文献３では、前記ＰＨＳよりもサービスエリアが格段に大きい携帯電話（ＰＤＣ：Ｐｅｒｓｏｎａｌ  Ｄｉｇｉｔａｌ  ＣｅｌｌｕｌａｒやＧＳＭ：Ｇｌｏｂａｌ  Ｓｙｓｔｅｍ  ｆｏｒ  Ｍｏｂｉｌｅ  ｃｏｍｍｕｎｉｃａｔｉｏｎｓ）の通信回線を使用するので、保持している人物の現在地の特定精度が粗くなるのでＧＰＳ（グローバルポジショニングシステム）の受信機を搭載して、現在位置の高い特定精度が確保されている。
【特許文献１】特開平６−１１９５８０号公報
【特許文献２】特開２００３−２１８９９４号公報
【特許文献３】特開平６−３３８８４８号公報
【発明の開示】
【発明が解決しようとする課題】
【０００６】
しかしながら、前述のＰＨＳを利用した場合には、サービスエリアが前述のように微小であるために、端末装置からは、通常、１つの基地局が認識されるだけであり、エリアが重複して複数の基地局が認識されるのは、エリア間の極めて限られた領域である。したがって、端末装置としては、発報（発呼）に備えて、その１つの基地局からの制御信号を受信し、タイミング合わせなどを行って、待受けしていればよい。これに対して、携帯電話の通信回線を利用した場合には、各基地局のサービスエリアが大きく、かつ相互に重なり合っているので、端末装置からは、複数の基地局が認識される。
【０００７】
ここで、簡易式の携帯電話である前記ＰＨＳと、自動車電話を基に発展した携帯電話とでは、待受け時の受信動作が異なり、携帯電話では、発呼や着呼が速やかに行えるように、現在待受け中の基地局のゾーンから他の基地局のゾーンへのゾーンを移行すると、直ちにその基地局での待受けへと移れるようなゾーン移行判定を行うために、前記現在待受け中の基地局からの電波の受信レベル（自ゾーンレベル）以外に、前記他の基地局からの電波の受信レベル（周辺ゾーンレベル）も周期的に測定するように構成されている。
【０００８】
図１０は、待受け受信動作を説明するための図であり、図１１は、その待受け受信動作を説明するためのタイミングチャートである。前記ＰＤＣやＧＳＭなどのＴＤＭＡ／ＦＤＤ（Ｔｉｍｅ  Ｄｉｖｉｓｉｏｎ  Ｍｕｌｔｉｐｌｅ  Ａｃｃｅｓｓ／Ｆｒｅｑｕｅｎｃｙ  Ｄｉｖｉｓｉｏｎ  Ｄｕｐｌｅｘ）方式の場合、基地局ＢＳｉ（ｉ＝０，１，２，・・・，ｎ、以下、特に局番号を示す必要のある場合には添字０〜ｎを付して示し、総称する場合には添字０〜ｎを省略する）から端末装置ＭＳへの下り信号の送信タイミングと、端末装置ＭＳから基地局ＢＳへの上り信号の送信タイミングとは、時分割スロット化され、また送受信で異なるキャリア周波数が使用される。
【０００９】
図１０において、基地局ＢＳ０は現在待受け中の基地局であり、残余の基地局ＢＳ１〜ＢＳｎは他の基地局である。そして、端末装置ＭＳは、待受け時には、図１１で示すように、現在待受け中の基地局ＢＳ０から送信される呼出し信号等の制御信号を、予め定めるサンプリング周期Ｔｓ毎に受信し、その電界強度レベルを自ゾーンレベルＦ０として記憶する。さらに、各サンプリング周期Ｔｓｊ（ｊ＝１〜ｎ）内で残った期間内で、他の基地局ＢＳ１〜ＢＳｎの内の１つＢＳｊから送信される制御信号を受信し、その電界強度レベルを周辺ゾーンレベルＦｊとして記憶する。次のサンプリング周期Ｔｓｊ＋１では、同様に現在待受け中の基地局ＢＳ０を受信するとともに、次の基地局ＢＳｊ＋１を受信する。図１１は、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓ：社団法人電波産業会）にて、ＲＣＲ  ＳＴＤ−２７（デジタル方式自動車電話システム）標準規格として規格化されている前記ＰＤＣ方式の携帯電話装置における基地局と端末装置との間の無線区間インタフェイスを示すものである。
【００１０】
こうして、止まり木チャネルと称する前記ｎ個（通常、前記ＰＤＣの場合、最大でｎ＝２０程度）の無線キャリア（チャネル）のいずれかを用いて送信を行っている各基地局ＢＳ１〜ＢＳｎの無線キャリアの総てを、１受信周期Ｔ、たとえば７２０ｍｓｅｃ内で、１度ずつ受信し、その受信動作を待機中は継続して行う。そして、自ゾーンレベルＦ０が低下するなどして周辺ゾーンレベルＦｊの最大値よりも予め定める閾値以上低くなって切換えの必要が生じると、その最大値の基地局に待受け先の切換え、すなわちゾーン移行が行われる。
【００１１】
したがって、上述のような従来技術では、たとえば電界強度レベルで１０番目以降というような、ゾーン移行する可能性の殆ど無い基地局のキャリア測定も、毎受信周期Ｔ毎に行われるので、前記受信周期Ｔ内における実際の受信期間が長く、前記省電力化の要望に充分応えられていないのが実情である。また、たとえば端末装置ＭＳが移動しているときには待受け先の切換えを行う可能性は高く、これに対して、停止しているときには待受け先の切換えを行う可能性は低く、このように該端末装置ＭＳの状況によっても、省電力動作が適切に実現されているとは言い難い。
【００１２】
本発明の目的は、待機時の性能低下を招くことなく、待機時の受信時間を短くし、省電力化を図ることができる緊急通報装置を提供することである。
【課題を解決するための手段】
【００１３】
本発明の緊急通報装置は、携帯しているユーザの操作入力に応答して発報し、公衆無線通信回線を介して、予め登録されている通報先へ通報を行う緊急通報装置において、基地局との間で無線通信を行う通信手段と、現在待受け中の基地局のゾーンから他の基地局のゾーンへのゾーン移行判定を行うために、前記通信手段において前記現在待受け中の基地局以外に前記他の基地局からの信号も受信させ、その受信結果から、切換えの候補となる基地局を決定する切換え制御手段と、該緊急通報装置が移動状態であるか否かを判定する判定手段と、前記他の基地局からの信号を、前記判定手段で、移動状態であると判定されたときには前記通信手段に予め定める第１の頻度で受信させ、停止状態であると判定されたときには前記第１の頻度よりも低い予め定める第２の頻度で受信させる受信制御手段とを含むことを特徴とする。
【００１４】
上記の構成によれば、子供、婦人、老人および疾病患者等が保持し、犯罪に遭遇したり、気分が悪くなったときなどに、釦操作などを行うことで自動的に発報（発呼）し、携帯電話などの公衆無線通信回線を介して、近親者や病院などの予め登録されている通報先へ通報を行うようにした緊急通報装置において、該緊急通報装置がゾーン（サービスエリア）内に入っていて、通信が可能な複数の基地局の内、通報の際に該緊急通報装置が実際に発呼（アクセス）する基地局に対しては、制御信号を決められた周期で受信し、タイミング合わせや、その基地局に該緊急通報装置の存在を認識させることで発報を可能にしている。そして、前記制御信号を待受けし、発呼の相手先となる基地局は、現在待受け中の基地局であり、その基地局のゾーンから他の基地局のゾーンへ移行すると、その移行したゾーンの基地局と通信が可能になるように、前記現在待受け中の基地局を切換える必要がある。
【００１５】
そこで、本発明では、現在待受け中の基地局のゾーンから他の基地局のゾーンへのゾーン移行判定を行うために、前記通信手段において、現在待受け中の基地局以外に他の基地局からの信号も受信させ、切換え制御手段が、その受信結果から、切換えの候補となる基地局を決定する。一方、判定手段が、電界強度レベルやエラーレートなどから、該緊急通報装置が移動状態であるか否かを判定しており、その判定結果に応答して、受信制御手段は、移動状態であると判定されたときには前記受信手段に前記他の基地局からの信号を予め定める第１の頻度で受信させ、停止状態であると判定されたときには前記第１の頻度よりも低い予め定める第２の頻度で受信させる。前記第２の頻度には、再び移動状態と判定されるまで受信を休止する頻度０を含むとする。
【００１６】
したがって、待受け対象となる基地局が殆ど変化する可能性のない停止状態では、前記待受け対象となる基地局が変化する可能性のある移動状態に比べて、前記他の基地局からの信号の受信頻度を低下させる、すなわち間引き受信するので、発呼に要する時間や、着呼に要する時間が長くなってしまうような待機時の性能低下を招くことなく、待機時の受信時間を短くし、省電力化を図ることができる。これによって、待受け時間を延ばすことができる。または同じ待受け時間なら、バッテリ容量を小さくすることができる。
【００１７】
また、本発明の緊急通報装置では、前記判定手段は、前記現在待受け中の基地局からの受信信号における電界強度の変化量が、予め定める閾値以上であるときには移動状態であると判定し、前記閾値未満であるときには停止状態であると判定することを特徴とする。
【００１８】
上記の構成によれば、周期的に常時受信している現在待受け中の基地局からの受信信号の電界強度の変化量から、前記移動状態と停止状態とのいずれであるかを判定するので、上述のように間引き受信を行っている前記他の基地局からの信号の受信結果から判定するよりも、２つの状態の切換わりを速やかに判定することができる。また、電界強度レベルにつき、簡単に判定することができる。
【００１９】
さらにまた、本発明の緊急通報装置では、前記判定手段は、前記現在待受け中の基地局からの受信信号に、誤りが発生したときには移動状態であると判定し、前記誤りが発生していないときには停止状態であると判定することを特徴とする。
【００２０】
上記の構成によれば、現在待受け中の基地局からの受信信号の電界強度を監視することで、移動状態と停止状態との何れであるかを判定する際に、さらにその現在待受け中の基地局からの受信信号の誤りの有無から、前記移動状態と停止状態とのいずれであるかを判定する。
【００２１】
したがって、たとえば前記現在待受け中の基地局からの受信信号の電界強度レベルの変化が少なく、停止状態とみなせても、受信信号に誤りが発生していると、必ずしも良好に受信が行えているとは限らず、待受け先を変更する必要が生じる可能性があるので、自身を移動状態として、一旦総ての基地局の信号を受信し、他の基地局の探索を行う。これによって、待受け先の切換えを行う必要が生じた場合、直ちに変更することができる。
【００２２】
また、本発明の緊急通報装置では、前記判定手段は、前記他の基地局からの受信信号の電界強度レベルおよび／またはエラーレートも加味して、前記移動状態と停止状態との判定を行うことを特徴とする。
【００２３】
上記の構成によれば、移動状態と停止状態との何れであるかを判定するにあたって、前記のように現在待受け中の基地局からの受信信号の電界強度や誤りだけで判定するのではなく、他の基地局からの受信信号の電界強度レベルおよび／またはエラーレートも加味して判定を行う。具体的には、たとえば移動量が少なく、現在待受け中の基地局からの受信信号の電界強度レベルの変化量が前記閾値に満たないために停止状態と判断した場合であっても、他の基地局からの受信信号の電界強度レベルの変化量が大きく、当該緊急通報装置の周辺環境に何らかの変化があったと考えられるような場合は、自身を停止状態とみなさずに、移動状態とみなして、他の基地局からの信号の受信を通常通りに行い、待受け変更先の候補となる他の基地局を探索する。
【００２４】
したがって、待受け先の切換えを行う必要が生じた場合、直ちに変更することができる。
【００２５】
さらにまた、本発明の緊急通報装置では、前記判定手段は、待受け状態に移行した後、および停止状態から移動状態に切換わった後は、一旦総ての基地局からの信号を受信し、移動状態であるか、または停止状態であるかを判定することを特徴とする。
【００２６】
上記の構成によれば、電源投入などで待受け状態に移行した後、および停止状態から移動状態に切換わった後は、総ての基地局からの信号を少なくとも１回受信し、移動状態であるか、または停止状態であるかを判定する。
【００２７】
したがって、待受け状態への移行や移動状態への切換わりから、所定時間移動状態を維持する場合に比べて、停止状態の判定を速やかに行い、状態を切換えることができる。
【００２８】
また、本発明の緊急通報装置では、前記受信制御手段は、予め定める期間に亘って、前記他の基地局からの信号が、予め定める信号品質以上であったものだけを、予め定める周期で受信させることを特徴とする。
【００２９】
上記の構成によれば、前記判定手段が、前記他の基地局からの受信信号も加味して、前記移動状態と停止状態との判定を行うにあたって、その他の基地局は、受信信号の信号品質が予め定める値以上の局に限定する。前記予め定める期間は、次に信号品質を判定するまでの期間や、発呼や着呼が行われるまでの期間などである。その予め定める期間内で、予め定める信号品質未満の信号を間引いて受信することになる。ただし、間引き受信を行っても、その空いた受信サイクルで前記予め定める信号品質以上の信号が受信されるのではなく、該予め定める信号品質以上の信号の受信サイクルは一定とされる。
【００３０】
したがって、電界強度レベルが低かったり、エラーが多かったりして、受信信号品質が悪く、切換えの対象となる可能性の小さい基地局からの信号は受信しないようにするので、前記移動状態と停止状態との判定を高精度に行うことができる。
【００３１】
さらにまた、本発明の緊急通報装置では、前記受信制御手段は、予め定める期間に亘って、前記他の基地局からの信号が、信号品質が上位のものだけを、予め定める周期で前記受信手段に受信させることを特徴とする。
【００３２】
上記の構成によれば、前記判定手段が、前記他の基地局からの受信信号も加味して、前記移動状態と停止状態との判定を行うにあたって、その他の基地局は、受信信号の信号品質が上位の局に限定する。前記予め定める期間は、次に信号品質を判定するまでの期間や、発呼や着呼が行われるまでの期間などである。その予め定める期間内で、信号品質の低い信号を間引いて受信することになる。ただし、間引き受信を行っても、その空いた受信サイクルで前記信号品質が上位の局が受信されるのではなく、その上位の局の受信サイクルは一定とされる。
【００３３】
したがって、電界強度レベルが低かったり、エラーが多かったりして、受信信号品質が悪く、切換えの対象となる可能性の小さい基地局からの信号は受信しないようにするので、前記移動状態と停止状態との判定を高精度に行うことができる。
【００３４】
また、本発明の緊急通報装置は、携帯しているユーザの操作入力に応答して発報し、公衆無線通信回線を介して、予め登録されている通報先へ通報を行う緊急通報装置において、基地局との間で無線通信を行う通信手段と、現在待受け中の基地局のゾーンから他の基地局のゾーンへのゾーン移行判定を行うために、前記通信手段において前記現在待受け中の基地局以外に前記他の基地局からの信号も受信させ、その受信結果から、切換えの候補となる基地局を決定する切換え制御手段と、前記通信手段での受信結果から、受信信号が予め定める信号品質以上であるか否かを判定する判定手段と、前記判定手段での判定結果に応答し、予め定める期間に亘って、前記他の基地局からの信号が、前記予め定める信号品質以上であったものだけを、予め定める周期で前記通信手段に受信させる受信制御手段とを含むことを特徴とする。
【００３５】
上記の構成によれば、現在待受け中の基地局のゾーンから他の基地局のゾーンへのゾーン移行判定を行うために、前記通信手段において現在待受け中の基地局以外に他の基地局からの信号も受信させ、切換え制御手段が、その受信結果から、切換えの候補となる基地局を決定する。一方、判定手段が、電界強度レベルやエラーレートなどから、受信信号が予め定める信号品質以上であるか否かを判定しておき、受信制御手段は、前記通信手段に、前記予め定める信号品質以上の他の基地局からの信号だけを、予め定める期間に亘って、予め定める周期で受信させる。前記予め定める期間は、次に信号品質を判定するまでの期間や、発呼や着呼が行われるまでの期間などである。その予め定める期間内で、予め定める信号品質未満の信号を間引いて受信することになる。ただし、間引き受信を行っても、その空いた受信サイクルで前記予め定める信号品質以上の信号が受信されるのではなく、該予め定める信号品質以上の信号の受信サイクルは一定とされる。
【００３６】
したがって、電界強度レベルが低かったり、エラーが多かったりして、受信信号品質が悪く、切換えの対象となる可能性の小さい基地局からの信号は受信しないようにするので、発呼や着呼ができなくなってしまうような待機時の性能低下を招くことなく、待機時の受信時間を短くし、省電力化を図ることができる。これによって、待受け時間を延ばすことができる。または同じ待受け時間なら、バッテリ容量を小さくすることができる。
【００３７】
さらにまた、本発明の緊急通報装置では、前記受信制御手段は、前記判定手段での判定結果において、前記予定める信号品質以上の受信信号が検出されない場合、受信可能な総ての他の基地局からの信号を前記受信手段に受信させることを特徴とする。
【００３８】
上記の構成によれば、他の基地局からの信号で前記予め定める信号品質以上の受信信号が検出されない場合、何れの基地局からの信号も充分ではないが、何れが切換え候補先となるかの判断もつかないので、受信可能な総ての他の基地局からの信号を受信しておく。
【００３９】
したがって、前記省電力化は達成できなくなるけれども、電波環境の変化に速やかに追随し、的確に切換え候補先を見つけることができる。
【００４０】
また、本発明の緊急通報装置は、携帯しているユーザの操作入力に応答して発報し、公衆無線通信回線を介して、予め登録されている通報先へ通報を行う緊急通報装置において、基地局との間で無線通信を行う通信手段と、現在待受け中の基地局のゾーンから他の基地局のゾーンへのゾーン移行判定を行うために、前記通信手段において前記現在待受け中の基地局以外に前記他の基地局からの信号も受信させ、その受信結果から、切換えの候補となる基地局を決定する切換え制御手段と、前記通信手段での受信結果から、前記他の基地局からの受信信号の信号品質をそれぞれ判定する判定手段と、前記判定手段での判定結果に応答し、予め定める期間に亘って、前記他の基地局からの信号は、前記信号品質が上位のものだけを、予め定める周期で前記受信手段に受信させる受信制御手段とを含むことを特徴とする。
【００４１】
上記の構成によれば、受信手段において、現在待受け中の基地局以外に他の基地局からの信号も受信し、その受信結果から、切換え制御手段が切換えの候補となる基地局を決定しておき、電界強度レベルの低下などから、現在待受け中の基地局のゾーンから他の基地局のゾーンへ移行したと判定すると、その移行したゾーンの基地局に切換えて待受けを行うようにした携帯電話の端末装置において、本発明では、判定手段で、電界強度レベルやエラーレートなどから、各基地局からの受信信号の信号品質を判定しておき、受信制御手段は、前記信号品質が上位の基地局からの信号だけを、予め定める期間に亘って、予め定める周期で受信させる。前記予め定める期間は、次に信号品質を判定するまでの期間や、発呼や着呼が行われるまでの期間などである。その予め定める期間内で、信号品質が下位の局を間引いて受信することになる。ただし、間引き受信を行っても、その空いた受信サイクルで前記信号品質が上位の局が受信されるのではなく、該上位の局の受信サイクルは一定とされる。
【００４２】
したがって、電界強度レベルが低かったり、エラーが多かったりして、受信信号品質が悪く、待受け対象となる可能性の小さい基地局からの信号は受信しないようにするので、発呼や着呼ができなくなってしまうような待機時の性能低下を招くことなく、待機時の受信時間を短くし、省電力化を図ることができる。これによって、待受け時間を延ばすことができる。または同じ待受け時間なら、バッテリ容量を小さくすることができる。
【発明の効果】
【００４３】
本発明の緊急通報装置は、以上のように、子供、婦人、老人および疾病患者等が保持し、犯罪に遭遇したり、気分が悪くなったときなどに、釦操作などを行うことで自動的に発報（発呼）し、携帯電話などの公衆無線通信回線を介して、近親者や病院などの予め登録されている通報先へ通報を行うようにした緊急通報装置において、現在待受け中の基地局のゾーンから他の基地局のゾーンへのゾーン移行判定を行うために、現在待受け中の基地局以外に他の基地局からの信号も受信し、その受信結果から、切換えの候補となる基地局を決定する一方、電界強度レベルやエラーレートなどから、該緊急通報装置が移動状態であるか否かを判定しており、その判定結果で移動状態であると判定されたときには、前記他の基地局からの信号を予め定める第１の頻度で受信し、停止状態であると判定されたときには前記第１の頻度よりも低い予め定める第２の頻度で受信する。
【００４４】
それゆえ、待受け対象となる基地局が殆ど変化する可能性のない停止状態では、前記待受け対象となる基地局が変化する可能性のある移動状態に比べて、前記他の基地局からの信号の受信頻度を低下させる、すなわち間引き受信するので、発呼に要する時間や、着呼に要する時間が長くなってしまうような待機時の性能低下を招くことなく、待機時の受信時間を短くし、省電力化を図ることができる。これによって、待受け時間を延ばすことができる。または同じ待受け時間なら、バッテリ容量を小さくすることができる。
【００４５】
また、本発明の緊急通報装置は、以上のように、現在待受け中の基地局のゾーンから他の基地局のゾーンへのゾーン移行判定を行うために、現在待受け中の基地局以外に他の基地局からの信号も受信し、その受信結果から、切換えの候補となる基地局を決定する一方、電界強度レベルやエラーレートなどから、受信信号が予め定める信号品質以上であるか否かを判定しておき、前記予め定める信号品質以上の他の基地局からの信号だけを、予め定める期間に亘って、予め定める周期で受信する。
【００４６】
それゆえ、電界強度レベルが低かったり、エラーが多かったりして、受信信号品質が悪く、切換えの対象となる可能性の小さい基地局からの信号は受信しないようにするので、発呼や着呼ができなくなってしまうような待機時の性能低下を招くことなく、待機時の受信時間を短くし、省電力化を図ることができる。これによって、待受け時間を延ばすことができる。または同じ待受け時間なら、バッテリ容量を小さくすることができる。
【００４７】
また、本発明の緊急通報装置は、以上のように、現在待受け中の基地局のゾーンから他の基地局のゾーンへのゾーン移行判定を行うために、現在待受け中の基地局以外に他の基地局からの信号も受信し、その受信結果から、切換えの候補となる基地局を決定する一方、電界強度レベルやエラーレートなどから、各基地局からの受信信号の信号品質を判定しておき、前記信号品質が上位の基地局からの信号だけを、予め定める期間に亘って、予め定める周期で受信する。
【００４８】
それゆえ、電界強度レベルが低かったり、エラーが多かったりして、受信信号品質が悪く、待受け対象となる可能性の小さい基地局からの信号は受信しないようにするので、発呼や着呼ができなくなってしまうような待機時の性能低下を招くことなく、待機時の受信時間を短くし、省電力化を図ることができる。これによって、待受け時間を延ばすことができる。または同じ待受け時間なら、バッテリ容量を小さくすることができる。
【発明を実施するための最良の形態】
【００４９】
［実施の形態１］
図１は、本発明の実施の一形態の緊急通報装置１の電気的構成を示すブロック図である。この緊急通報装置１は、前記図１０における端末装置ＭＳとなるものであり、大略的に、押し釦スイッチなどから成り、携帯しているユーザの操作入力が行われるユーザインタフェイス２と、不揮発性のメモリなどを備え、前記操作入力に応答して、警察、家族、病院等の予め登録されている通報先へ発報（発呼）し、犯罪に遭遇したり、容態が悪化したことなどの予め登録されている固定メッセージを送信する通信制御部３と、前記通信制御部３で作成された無線信号を携帯電話の無線通信回線を介して送信する無線部４およびアンテナ部５と、前記通信制御部３によって制御され、前記無線部４で受信された基地局からの信号の受信レベルを測定し、前記通信制御部３に与えるレベル測定部６と、ＧＰＳ受信機などから成り、前記固定メッセージの送信時に、合わせて現在位置情報を送信するために、位置測定を行い、その測定結果を前記通信制御部３に与える位置測定部７とを備えて構成される。前記ユーザインタフェイス２には、通報先にユーザの状況や容態を知らせたりするために、スピーカやマイクロホンなどがさらに設けられていてもよい。
【００５０】
上述のように構成される緊急通報装置１において、本実施の形態では、受信制御手段であり、判定手段である通信制御部３は、通信手段である無線部４に、現在待受け中の基地局に対しては予め定める周期Ｔｓ毎に、呼出し信号等の制御信号の受信を行わせるとともに、他の基地局については、該緊急通報装置１が移動状態であると、通常モードとして前記予め定めるサンプリング周期Ｔｓの予め定める第１の頻度で受信させ、停止状態であると、低消費電力モードとして前記第１の頻度よりも低い予め定める第２の頻度で受信させることである。また、切換え制御手段でもある前記通信制御部３は、それらの現在待受け中の基地局および他の基地局からの制御信号の無線部４による受信結果から、ゾーン移行判定を行い、移行すると、前記発報（発呼）時にアクセスすべき基地局である前記現在待受け中の基地局を変更する。そして、その現在待受け中の基地局の切換えの候補となる基地局は、前記制御信号の受信結果から、予め決定されている。
【００５１】
図２は、本実施の形態による待受け時の受信動作を説明するためのタイミングチャートである。時刻ｔ１で電源が投入され、待受け状態となると、前記図１１で示す従来技術と同様に、前記ＡＲＩＢの標準規格に規定されているように、現在待受け中の基地局ＢＳ０（前記図１０参照）から送信される制御信号を、予め定めるサンプリング周期Ｔｓｊ（ｊ＝１〜ｎ）毎に受信し、その電界強度レベルを自ゾーンレベルＦ０ｊとして記憶する。さらに、受信周期Ｔ毎に、前記通常モードと低消費電力モードとの判定を行い、本実施の形態では、前記時刻ｔ１からの第１の受信周期Ｔ１および時刻ｔ２からの第２の受信周期Ｔ２については、各サンプリング周期Ｔｓｊ内で残った期間内で、他の基地局ＢＳ１〜ＢＳｎ（前記図１０参照）の内の１つＢＳｊから送信される制御信号を受信し、その電界強度レベルを周辺ゾーンレベルＦｊとして記憶する。次のサンプリング周期Ｔｓｊ＋１では、同様に現在待受け中の基地局ＢＳ０を受信し、その電界強度レベルを自ゾーンレベルＦ０ｊ＋１として記憶するとともに、次の基地局ＢＳｊ＋１を受信する。
【００５２】
そして注目すべきは、時刻ｔ３からの第３の受信周期Ｔ３以降については、該緊急通報装置１が移動状態であると前記通常モードとなって前記他の基地局ＢＳ１〜ＢＳｎを通常通り受信し、停止状態であると低消費電力モードとなって、通常モードよりも少ない頻度で受信することである。各受信周期Ｔの期間は、前記サンプリング周期Ｔｓに、待受け対象とすべき他の基地局ＢＳ１〜ＢＳｎの局数ｎとの乗算値となり、前記ＰＤＣ方式では、Ｔｓ＝７２０ｍｓｅｃで、最大のｎ＝２０で、Ｔ＝１４．４ｓｅｃである。
【００５３】
図３は、通信制御部３によるモード選択動作を説明するためのフローチャートである。この図３で示す処理は、前述のように、モード判定を行う受信周期Ｔ毎に行われる。ステップＳ１では、前記現在待受け中の基地局ＢＳ０からの制御信号による自ゾーンレベルＦ０および他の基地局ＢＳ１〜ＢＳｎからの制御信号による周辺ゾーンレベルＦｊが、既に前記レベル測定部６で測定され、そのデータが該通信制御部３に格納されているか否かが判断され、そうでないとき、すなわち電源が投入された直後の１回目の処理タイミングである時刻ｔ１および、後述するように未格納状態であり、２回目の処理タイミングである時刻ｔ２ではステップＳ２に移り、前記自ゾーンレベルＦ０および周辺ゾーンレベルＦｊの測定値があるか否かが判断される。このステップＳ２において、測定値がないとき、すなわち１回目の処理タイミングである時刻ｔ１ではステップＳ３に移って通常モードに設定されて処理を終了する。これに対して、前記ステップＳ２において、測定値があるとき、すなわち第１の受信周期Ｔ１を終了した２回目の処理タイミングである時刻ｔ２では、ステップＳ４に移って、その第１の受信周期Ｔ１での自ゾーンレベルおよび周辺ゾーンレベルの格納処理が行われた後、前記ステップＳ３に移る。その格納処理は、自ゾーンレベルＦ０については、各サンプリング周期Ｔｓｊでの測定値Ｆ０１，Ｆ０２，・・・，Ｆ０ｎの平均値Ｆ０ａｖｅが求められ、周辺ゾーンレベルＦｊについては、それぞれの測定値とされる。
【００５４】
一方、ステップＳ１において、自ゾーンレベルＦ０および周辺ゾーンレベルＦｊのデータが該無線通信部３に既に格納されている場合、すなわち３回目の処理タイミングである時刻ｔ３以降では、ステップＳ５に移り、後述するようにして、該緊急通報装置１が移動状態であるか停止状態であるかの判定が行われる。ステップＳ６では、その判定結果が何れであるか判断され、移動状態であるときにはステップＳ７で移動判定時の処理が行われ、停止状態であるときにはステップＳ８で停止判定時の処理が行われ、処理を終了する。
【００５５】
図４は、前記ステップＳ７での移動判定時の処理を詳しく説明するためのフローチャートである。ステップＳ７１では現在通常モードであるか否かが判断され、そうでないとき、すなわち前記ステップＳ６からこのステップＳ７１の判定で停止状態から移動状態に変化したと判定されたときにはステップＳ７２に移り、格納されている前記自ゾーンレベルＦ０ａｖｅおよび周辺ゾーンレベルＦｊのデータが無効とされ、さらにステップＳ７３に移って、通常モードにモード切換えが行われて処理を終了する。これに対して、前記ステップＳ７１において、移動状態であるとき、すなわち前記ステップＳ６からこのステップＳ７１の判定で移動状態を継続していると判定されたときにはステップＳ７４に移り、自ゾーンレベルＦ０ａｖｅおよび周辺ゾーンレベルＦｊの格納処理が行われ、すなわち前記自ゾーンレベルＦ０ａｖｅおよび周辺ゾーンレベルＦｊが最新の値に更新されて、モード切換えが行われずに、直接処理を終了する。
【００５６】
また、図５は、前記ステップＳ８での停止判定時の処理を詳しく説明するためのフローチャートである。ステップＳ８１では現在通常モードであるか否かが判断され、そうであるとき、すなわち前記ステップＳ６からこのステップＳ８１の判定で移動状態から停止状態に変化したと判定されたときにはステップＳ８２に移り、その停止状態になる直前の受信周期での測定結果に自ゾーンレベルＦ０ａｖｅおよび周辺ゾーンレベルＦｊが設定され、さらにステップＳ８３に移って低消費電力モードにモード切換えが行われて処理を終了する。これに対して、前記ステップＳ８１において、停止状態であるとき、すなわち前記ステップＳ６からこのステップＳ８１の判定で停止状態を継続していると判定されたときには、自ゾーンレベルＦ０ａｖｅおよび周辺ゾーンレベルＦｊの格納処理が行われず、すなわち以前の値のままで更新処理が行われず、またモード切換えも行われずに、そのまま処理を終了する。
【００５７】
図６は、前記ステップＳ５における移動／停止判定処理を詳細に示すフローチャートである。ステップＳ５１では、直前の受信周期での自ゾーンレベルの測定値の平均値が、Ｆ０ａｖｅ’として格納される。ステップＳ５２では、その直前の受信周期の値Ｆ０ａｖｅ’が、基準となる自ゾーンレベルＦ０ａｖｅの予め定める変化閾値Ｆ０ｔｈの範囲内か否かが判断され、範囲内であるときにはステップＳ５３で停止状態であると判定されて処理を終了し、範囲外であるときにはステップＳ５４で移動状態であると判定されて処理を終了する。
【００５８】
したがって、本実施の形態では、電源投入直後および移動状態から停止状態への切換わり直後に自ゾーンレベルＦ０ａｖｅを格納し、その自ゾーンレベルＦ０ａｖｅを基準として、直前の受信周期の値Ｆ０ａｖｅ’が所定閾値Ｆ０ｔｈの範囲内か否かで移動／停止判定を行い、停止状態が継続している間は周辺ゾーンレベルＦｊの測定を行わず（受信頻度が０）、また基準となる自ゾーンレベルＦ０ａｖｅを更新せず、移動状態であると、自ゾーンレベルＦ０ａｖｅを最新の値に更新しつつ、周辺ゾーンレベルＦｊの更新も行う。
【００５９】
こうして、待受け対象となる基地局ＢＳ０が殆ど変化する可能性のない停止状態では、前記待受け対象となる基地局ＢＳ０が変化する可能性のある移動状態に比べて、他の基地局ＢＳ１〜ＢＳｎからの信号の受信頻度を低下することで、発呼に要する時間や、着呼に要する時間が長くなってしまうような待機時の性能低下を招くことなく、待機時の受信時間を短くし、省電力化を図ることができる。これによって、待受け時間を延ばすことができる。または同じ待受け時間なら、バッテリ容量を小さくすることができる。
【００６０】
また、本実施の形態では、前記移動／停止を、前記サンプリング周期Ｔｓで周期的に常時受信している現在待受け中の基地局ＢＳ０からの受信信号の電界強度の変化量が、予め定める閾値Ｆ０ｔｈの範囲内か否かで判定するので、２つの状態の切換わりを速やかに判定することができる。また、電界強度レベルにつき、簡単に判定することができる。
【００６１】
さらにまた、本実施の形態では、電源投入で待受け状態に移行した後（時刻ｔ１）、および停止状態から移動状態に切換わった後（ステップＳ７１→Ｓ７２）は、通常モードに設定（ステップＳ７３）し、一旦総ての基地局ＢＳ０〜ＢＳｎからの信号を少なくとも１回受信し、次の判定タイミングで移動状態であるか、または停止状態であるかを判定するので、待受け状態への移行や移動状態への切換わりから、所定時間移動状態を維持する場合に比べて、停止状態の判定を速やかに行い、状態を切換えることができる。
【００６２】
［実施の形態２］
図７は、本発明の実施の他の形態の緊急通報装置における移動／停止判定処理を詳細に示すフローチャートである。この処理を実現する緊急通報装置は、前述の図１で示す緊急通報装置１の構成で実現することができ、前記図３のステップＳ５における処理として行われ、前記図６で示す移動／停止判定処理に類似し、対応する部分には同一のステップ番号を付して示し、その説明を省略する。注目すべきは、この判定処理動作では、前記ステップＳ５１で直前の受信周期での自ゾーンレベルＦ０ａｖｅ’が格納されると、ステップＳ５５で待受け対象としている基地局ＢＳ０からの制御信号のＣＲＣなどからデータ解析を行い、続いてステップＳ５６で、その解析結果から、誤りが無いかどうかが判定される。誤りがある場合は前記ステップＳ５４に移って、そのまま移動判定を行い、誤りが無い場合は前記ステップＳ５２に移って、基準となる自ゾーンレベルＦ０ａｖｅの変化閾値Ｆ０ｔｈ内であるか否かの判定がさらに行われて、停止状態であるか移動状態であるかが判定される。
【００６３】
以上のように、本実施の形態では、現在待受け中の基地局ＢＳ０からの受信信号の電界強度を監視することで、移動状態と停止状態との何れであるかを判定する際に、さらにその現在待受け中の基地局ＢＳ０からの受信信号の誤りの有無から、前記移動状態と停止状態とのいずれであるかを判定する。したがって、たとえば前記現在待受け中の基地局ＢＳ０による自ゾーンレベルＦ０ｊのレベルの変化が少なく、停止状態とみなせても、受信信号に誤りが発生していると、必ずしも良好に受信が行えているとは限らず、待受け先を変更する必要が生じる可能性があるので、自身を移動状態として、一旦総ての基地局ＢＳ０〜ＢＳｎの信号を受信し、他の基地局ＢＳ１〜ＢＳｎの探索を行うことで、待受け先の切換えを行う必要が生じた場合、直ちに変更することができる。
【００６４】
［実施の形態３］
図８は、本発明の実施のさらに他の形態の緊急通報装置における移動／停止判定処理を詳細に示すフローチャートである。この処理を実現する緊急通報装置も、前述の図１で示す緊急通報装置１の構成で実現することができ、前記図３のステップＳ５における処理として行われ、前記図６および図７で示す移動／停止判定処理に類似し、対応する部分には同一のステップ番号を付して示し、その説明を省略する。注目すべきは、この判定処理動作では、前記ステップＳ５６で誤りが無しと判定され、さらにステップＳ５２で自ゾーンレベルＦ０ａｖｅの変化閾値Ｆ０ｔｈ内であると判定されても、さらにステップＳ５７において、他の基地局ＢＳｊからの受信信号のレベルＦｊ’が求められ、ステップＳ５８で、その変化の有無も判定されることである。具体的には、ステップＳ４，Ｓ７４，Ｓ８２で格納された基準となる前記他の基地局ＢＳｊからの受信信号の電界強度レベルの測定値Ｆｊに対して、ステップＳ５７では、直前の受信周期での測定値Ｆｊ’が格納され、ステップＳ５８で、その直前の受信周期の値Ｆｊ’が、基準となる周辺ゾーンレベルＦｊの予め定める変化閾値Ｆｔｈの範囲内か否かが判断され、範囲内であるときに前記ステップＳ５３に移って停止状態であると判定され、範囲外であるときには前記ステップＳ５４に移って移動状態であると判定されて処理を終了する。
【００６５】
前記他の基地局ＢＳｊとしては、総ての他の基地局ＢＳ１〜ＢＳｎを対象としてもよいけれども、この他の基地局ＢＳｊとしては、予め定める信号品質以上のものだけ、または信号品質が上位のものだけとすることが望ましい。具体的には、電界強度レベルが所定値以上またはエラーレートが所定値以下の基地局だけ、もしくは電界強度レベルが高い順に予め定める局数だけ、またはエラーレートが低い順に予め定める局数だけとする。
【００６６】
その様子を図９に示す。図９では、サンプリング周期Ｔｓｊの基地局ＢＳｊだけが受信されているものとする。したがって、前記信号品質が予め定める値以上である局が１局、または信号品質が最も高い局だけが受信されるような例を示している。
【００６７】
このように現在待受け中の基地局ＢＳ０からの受信信号の電界強度や誤りだけで判定するのではなく、他の基地局ＢＳｊからの受信信号も加味して、前記移動状態と停止状態との判定を行うことで、たとえば移動量が少なく、現在待受け中の基地局ＢＳ０からの受信信号の電界強度レベルの変化量が前記閾値Ｆ０ｔｈに満たないために停止状態と判断した場合であっても、他の基地局ＢＳｊからの受信信号の電界強度レベルＦｊの変化量が大きく、当該緊急通報装置１の周辺環境に何らかの変化があったと考えられるような場合は、自機を停止状態とみなさずに、移動状態とみなして、前記他の基地局ＢＳ１〜ＢＳｎからの信号の受信を通常通りに行い、待受け変更先の候補となる他の基地局を探索するので、待受け先の切換えを行う必要が生じた場合、直ちに変更することができる。
【００６８】
また、前記信号品質が予め定める値以上である局、または信号品質が高い上位の局だけを受信し、電界強度レベルが低かったり、エラーが多かったりして、受信信号品質が悪く、切換えの対象となる可能性の小さい基地局からの信号は受信しないようにするので、前記移動状態と停止状態との判定を高精度に行うことができる。
【００６９】
前記図９の例では、サンプリング周期Ｔｓｊの基地局ＢＳｊだけが受信されているけれども、信号品質が予め定める値以上である基地局が複数存在する場合にはそれらを受信するようにしてもよく、また信号品質が最も高い局だけが受信されているけれども、上位の複数局が受信されてもよい。
【００７０】
また、前記予め定める信号品質以上の受信信号が検出されない場合、何れの基地局ＢＳ１〜ＢＳｎからの信号も充分な品質ではないが、何れが切換え候補先となるかの判断もつかないので、受信可能な総ての他の基地局ＢＳ１〜ＢＳｎからの信号を受信しておくようにしてもよい。この場合、前記省電力化は達成できなくなるけれども、電波環境の変化に速やかに追随し、的確に切換え候補先を見つけることができる。
【００７１】
なお、移動／停止判定の精度を向上するために、位置測定部７を起動して、その測定結果を用いるようにしてもよい。また、停止／移動判定を行うための他の基地局毎の周辺ゾーンレベルＦｊについても、複数の受信周期での平均値Ｆｊａｖｅ，Ｆｊａｖｅ’がそれぞれ求められ、それらの変化量から判定されてもよい。
【図面の簡単な説明】
【００７２】
【図１】本発明の実施の一形態の緊急通報装置の電気的構成を示すブロック図である。
【図２】本発明の実施の一形態による待受け時の受信動作を説明するためのタイミングチャートである。
【図３】図１で示す緊急通報装置において、モード選択動作を説明するためのフローチャートである。
【図４】前記図３のモード選択で移動状態と判定された時の処理を詳しく説明するためのフローチャートである。
【図５】前記図３のモード選択で停止状態と判定された時の処理を詳しく説明するためのフローチャートである。
【図６】前記図３のモード選択動作における移動／停止判定処理を詳細に示すフローチャートである。
【図７】本発明の実施の他の形態の緊急通報装置における移動／停止判定処理を詳細に示すフローチャートである。
【図８】本発明の実施のさらに他の形態の緊急通報装置における移動／停止判定処理を詳細に示すフローチャートである。
【図９】本発明の実施のさらに他の形態による待受け時の受信動作を説明するためのタイミングチャートである。
【図１０】携帯電話の待受け受信動作を説明するための図である。
【図１１】従来技術の待受け時の受信動作を説明するためのタイミングチャートである。
【符号の説明】
【００７３】
１    緊急通報装置
２    ユーザインタフェイス
３    通信制御部
４    無線部
５    アンテナ部
６    レベル測定部
７    位置測定部
ＢＳ０  現在待受け中の基地局
ＢＳ１〜ＢＳｎ    他の基地局
ＭＳ    端末装置
【図１】
2005167321.tif 000003
【図２】
2005167321.tif 000004
【図３】
2005167321.tif 000005
【図４】
2005167321.tif 000006
【図５】
2005167321.tif 000007
【図６】
2005167321.tif 000008
【図７】
2005167321.tif 000009
【図８】
2005167321.tif 000010
【図９】
2005167321.tif 000011
【図１０】
2005167321.tif 000012
【図１１】
2005167321.tif 000013